(57)【要約】【課題】鉛直線用と水平線用の２つの光源を有するレーザー墨出し器において、光源のスイッチ切替回路およびその切替機構の簡素化を図る。【解決手段】レーザー光源４ａ，５ａを電源（ＶＣＣ）とグランド（ＧＮＤ）との間に並列的に接続し、各光源４ａ，５ａとグランドとの間に２接点型スイッチＳＷ１０，ＳＷ２０を設け、その各一方の接点１０ａ，２０ａをグランドに接続し、スイッチＳＷ１０の他方の接点１０ｂをスイッチＳＷ２０のコモン接点２０ｃ側に接続し、スイッチＳＷ２０の他方の接点２０ｂは浮き接点とし、電源スイッチと連動してスイッチＳＷ１０，ＳＷ２０を所定に切り替えることにより、２つの光源を両方消灯，片方点灯，両方点灯のいずれかの状態とする。【選択図】  図１
2004212084.tif 000002
【特許請求の範囲】
【請求項１】
鉛直ライン照射用と水平ライン照射用の第１および第２の２つの光源と、上記各光源の点灯，消灯を切り替える電源スイッチとを含み、上記電源スイッチが、上記各光源をともに消灯とするオフ位置，いずれか一方の上記光源のみを点灯させる片方点灯位置および上記各光源をともに点灯とする両方点灯位置の３つの切替位置のいずれかに選択的に切り替えられるレーザー墨出し器用スイッチ回路において、
上記第１光源および上記第２光源が、電源とグランドとの間に並列的に接続され、上記第１光源と上記グランドとの間には２接点型の第１スイッチが設けられ、上記第２光源と上記グランドとの間には２接点型の第２スイッチが設けられており、上記第１スイッチと第２スイッチの一方の接点はともに上記グランドに接続され、上記第１スイッチの他方の接点は上記第２スイッチのコモン接点側に接続され、上記第２スイッチの他方の接点は浮き接点とされており、
上記電源スイッチがオフ位置のとき、上記第１スイッチおよび上記第２スイッチがともに他方の接点側に切り替えられ、
上記電源スイッチが片方点灯位置のとき、上記第１スイッチが一方の接点側に切り替えられるとともに、上記第２スイッチが他方の接点側に切り替えられ、
上記電源スイッチが両方点灯位置のとき、上記第１スイッチが他方の接点側に切り替えられるとともに、上記第２スイッチが一方の接点側に切り替えられることを特徴とするレーザー墨出し器用スイッチ回路。
【発明の詳細な説明】
【０００１】
【発明の属する技術分野】
本発明は、レーザー墨出し器用のスイッチ回路に関し、さらに詳しく言えば、鉛直ライン照射用と水平ライン照射用の各光源を点灯，消灯させる電源スイッチを兼ねたスイッチ回路に関するものである。
【０００２】
【従来の技術】
レーザー墨出し器は、建築現場などでレーザー光線により鉛直線出しおよび／または水平線出しを行う墨出し器で、図２（ａ）に鉛直線出しと水平線出しの双方が行えるレーザー墨出し器の外観図を示す。
【０００３】
このレーザー墨出し器１は、底面に３つの脚部２を備えた筐体３を有し、筐体３には２つのレーザー照射窓４，５が設けられている。このうち、一方のレーザー照射窓４が鉛直線出し用であり、他方のレーザー照射窓５が水平線出し用である。
【０００４】
各レーザー照射窓４，５内には、レーザー光源４ａ，５ａがそれぞれ配置されており、各レーザー光源４ａ，５ａからのレーザー光は窓内の図示しないレンズを介して広い角度に振られて建物の壁面などに鉛直ラインと水平ラインとを表示する。この鉛直／水平出しを行うため、筐体３内には、二軸ジンバル機構などが組み込まれている。大抵の場合、使用電源は電池である。
【０００５】
図２（ｂ）に、この種のレーザー墨出し器１に採用されている電源スイッチＭＳの外観を示す。電源スイッチＭＳは３つの切替位置を有し、この例では、スライドスイッチであり、中央が「ＯＦＦ」，その左側が「モード１」，右側が「モード２」となっている。なお、電源スイッチＭＳとして、ロータリースイッチが用いられる場合もある。
【０００６】
「ＯＦＦ」位置ではレーザー光源４ａ，５ａともに消灯，「モード１」位置ではレーザー光源４ａが点灯し、鉛直ラインのみが照射される。「モード２」位置ではレーザー光源４ａ，５ａともに点灯し、鉛直ラインと水平ラインとが同時に照射される。
【０００７】
図３により、電源スイッチＭＳの回路構成とその動作について説明する。レーザー光源４ａとレーザー光源５ａは、電源（ＶＣＣ）とグランド（ＧＮＤ）との間において並列的に接続されている。なお、レーザー光源４ａ，５ａともに、使用するレーザー光源は１個に限られるものてなく、それぞれ複数個のレーザー光源が用いられることがある。
【０００８】
レーザー光源４ａとグランド（ＧＮＤ）との間およびレーザー光源５ａとグランド（ＧＮＤ）との間には、それぞれ単接点型のマイクロスイッチＳＷ１，ＳＷ２が介装されており、また、各スイッチＳＷ１，ＳＷ２の反グランド側の接点間はダイオードＤを介して接続されている。ダイオードＤの向きは、レーザー光源４ａ側がアノードで、レーザー光源５ａ側がカソードである。
【０００９】
電源スイッチＭＳが「ＯＦＦ」位置を選択しているとき、図３（ａ）に示すように、スイッチＳＷ１，ＳＷ２はともにオフで、レーザー光源４ａ，５ａは消灯している。これに対して、「モード１」位置が選択されると、図３（ｂ）に示すように、レーザー光源４ａ側のスイッチＳＷ１がオン，レーザー光源５ａ側のスイッチＳＷ２がオフとなる。
【００１０】
このとき、ダイオードＤにより、レーザー光源５ａ側からグランド（ＧＮＤ）に向けて電流が流れないため、レーザー光源５ａは消灯で、レーザー光源４ａが点灯して鉛直ラインのみが照射される。また、「モード２」位置が選択されると、図３（ｃ）に示すように、レーザー光源４ａ側のスイッチＳＷ１がオフ，レーザー光源５ａ側のスイッチＳＷ２がオンとなる。
【００１１】
ダイオードＤは、レーザー光源４ａ側から見て順方向であるため、レーザー光源４ａ側からダイオードＤを介してグランド（ＧＮＤ）に向けて電流が流れる。したがって、レーザー光源４ａ，５ａがともに点灯し、鉛直ラインと水平ラインとが同時に照射される。
【００１２】
なお、ダイオードＤを外しても、上記と同じく、レーザー光源４ａ，５ａともに消灯，レーザー光源４ａのみ点灯，レーザー光源４ａ，５ａともに点灯とする３つの状態が得られるが、その場合には、ジンバル機構のロック手段との関係でスイッチＳＷ１，ＳＷ２の切替機構が複雑になる。
【００１３】
すなわち、電源スイッチＭＳが「ＯＦＦ」位置のとき、ジンバル機構がロックされ、電源スイッチＭＳが「モード１」もしくは「モード２」位置のとき、ジンバル機構のロックが解除される。この「モード１」と「モード２」の切替に連動してマイクロスイッチＳＷ１，ＳＷ２を交互にオン，オフさせる機構が、構造の簡素化および小型化を図る上で好ましい。
【００１４】
しかしながら、このままではレーザー光源４ａ，５ａともに点灯させる状態を作り出せない。ダイオードＤを用いることなく、双方点灯を可能とするには、レーザー光源４ａ側のマイクロスイッチＳＷ１を「モード１」のときと「モード２」のときとで、いずれもオンとする機構が必要であり、これを実現するには構造が複雑になるので好ましくない。
【００１５】
【発明が解決しようとする課題】
このような理由により、スイッチＳＷ１とスイッチＳＷ２との間にダイオードＤを入れて、スイッチＳＷ１，ＳＷ２を交互にオン，オフさせる機構であっても、双方点灯状態が得られるようにしているのである。しかしながら、これには次のような問題がある。
【００１６】
すなわち、電源スイッチＭＳを「モード２」位置として、レーザー光源４ａ，５ａともに点灯させる場合、同じ電源（ＶＣＣ）を使用しているにも拘わらず、レーザー光源４ａとレーザー光源５ａとでは、ダイオードＤにおける電圧降下分の電位差が生ずる。
【００１７】
また、レーザー光源４ａについて言えば、電源スイッチＭＳを「モード１」位置にしたときと、「モード２」位置にしたときとで、ダイオードＤで生ずる電圧降下分だけ異なる電圧がかけられることになる。したがって、正確な電圧制御が困難となる。また、ダイオードＤを使用する分、部品点数が増えコストアップとなる。
【００１８】
本発明は、上記した課題を解決するためになされたもので、その目的は、鉛直ライン照射用と水平ライン照射用の第１および第２の２つの光源を有するレーザー墨出し器において、「モード１」と「モード２」とで交互にオン，オフされる２つのスイッチを用いながら、ダイオードを不要としても、双方点灯状態が得られるようにすることにある。
【００１９】
【課題を解決するための手段】
上記目的を達成するため、本発明は、鉛直ライン照射用と水平ライン照射用の第１および第２の２つの光源と、上記各光源の点灯，消灯を切り替える電源スイッチとを含み、上記電源スイッチが、上記各光源をともに消灯とするオフ位置，いずれか一方の上記光源のみを点灯させる片方点灯位置（モード１）および上記各光源をともに点灯とする両方点灯位置（モード２）の３つの切替位置のいずれかに選択的に切り替えられるレーザー墨出し器用スイッチ回路において、上記第１光源および上記第２光源が、電源とグランドとの間に並列的に接続され、上記第１光源と上記グランドとの間には２接点型の第１スイッチが設けられ、上記第２光源と上記グランドとの間には２接点型の第２スイッチが設けられており、上記第１スイッチと第２スイッチの一方の接点はともに上記グランドに接続され、上記第１スイッチの他方の接点は上記第２スイッチのコモン接点側に接続され、上記第２スイッチの他方の接点は浮き接点とされており、上記電源スイッチがオフ位置のとき、上記第１スイッチおよび上記第２スイッチがともに他方の接点側に切り替えられ、上記電源スイッチが片方点灯位置のとき、上記第１スイッチが一方の接点側に切り替えられるとともに、上記第２スイッチが他方の接点側に切り替えられ、上記電源スイッチが両方点灯位置のとき、上記第１スイッチが他方の接点側に切り替えられるとともに、上記第２スイッチが一方の接点側に切り替えられることを特徴としている。
【００２０】
この構成によれば、ダイオードが不要であるため、片方点灯時および両方点灯時のいずれの場合においても、第１および第２の２つの光源にほぼ同一の点灯電圧を印加することができる。また、ダイオードを不要とした分、部品コストを下げることができる。
【００２１】
【発明の実施の形態】
次に、図１を参照して、本発明の実施形態について説明する。この実施形態の説明において、レーザー墨出し器には、先の図２（ａ）で説明した鉛直ライン照射用のレーザー光源４ａと水平ライン照射用のレーザー光源５ａの２つの光源が設けられており、また、図２（ｂ）に示した電源スイッチＭＳを備えているものとする。なお、電源スイッチＭＳはスライド式，回転式，プッシュ式など、その形式は問われない。また、レーザー光源４ａ，５ａは単数に限られるものでもない。
【００２２】
本発明においても、鉛直ライン照射用のレーザー光源４ａと水平ライン照射用のレーザー光源５ａは、電源（ＶＣＣ）とグランド（ＧＮＤ）との間に並列的に接続されるが、レーザー光源４ａとグランド（ＧＮＤ）との間には、２接点型の第１スイッチＳＷ１０が介装され、また、レーザー光源５ａとグランド（ＧＮＤ）との間にも、同じく２接点型の第２スイッチＳＷ２０が介装されている。スイッチＳＷ１０，ＳＷ２０には、マイクロスイッチが用いられている。
【００２３】
第１スイッチＳＷ１０と第２スイッチＳＷ２０の各一方の接点１０ａ，２０ａは、それぞれグランド（ＧＮＤ）に接続されている。第１スイッチＳＷ１０の他方の接点１０ｂは、第２スイッチＳＷ２０のコモン接点２０ｃ側に直接的に接続されている。
【００２４】
第２スイッチＳＷ２０の他方の接点２０ｂは、電気的にニュートラルの浮き接点とされている。なお、第１スイッチＳＷ１０のコモン接点１０ｃは、レーザー光源４ａ側に接続され、第２スイッチＳＷ２０のコモン接点２０ｃは、レーザー光源５ａ側に接続されている。
【００２５】
図２（ｂ）の電源スイッチＭＳを参照して、電源スイッチＭＳが「ＯＦＦ」位置を選択しているとき、図１（ａ）に示すように、第１スイッチＳＷ１０と第１スイッチＳＷ２０は、ともに接点１０ｂと接点２０ｂ側に切り替えられる。これにより、レーザー光源４ａはレーザー光源５ａ側につなげられるが、接点２０ｂは浮き接点であるため、いずれにも電流は流れず、したがって、レーザー光源４ａ，５ａは消灯している。
【００２６】
これに対して、電源スイッチＭＳにて「モード１」位置が選択されると、図１（ｂ）に示すように、レーザー光源４ａ側の第１スイッチＳＷ１０が接点１０ａ側に切り替えられてグランド（ＧＮＤ）に接続され、レーザー光源５ａ側の第２スイッチＳＷ２０は浮き接点である接点２０ｂ側のままとされる。したがって、レーザー光源４ａが点灯し、鉛直ラインのみが照射される。
【００２７】
また、電源スイッチＭＳにて「モード２」位置が選択されると、図１（ｃ）に示すように、レーザー光源４ａ側のスイッチＳＷ１０が接点１０ｂ側に切り替えられるとともに、レーザー光源５ａ側のスイッチＳＷ２０が接点２０ａ側に切り替えられてグランド（ＧＮＤ）に接続される。これにより、レーザー光源４ａ，５ａの両方が点灯し、鉛直ラインと水平ラインとが同時に照射される。
【００２８】
上記の実施形態の説明では、「モード１」位置と「モード２」位置の双方において鉛直ラインを照射し、鉛直ライン優先としているが、場合によっては、図１においてレーザー光源４ａとレーザー光源５ａとを入れ替えて、水平ライン優先とすることもできる。
【００２９】
【発明の効果】
以上説明したように、本発明によれば、鉛直ライン照射用と水平ライン照射用の第１および第２の２つの光源を有するレーザー墨出し器において、「モード１」と「モード２」とで交互にオン，オフされる２つのスイッチを用いながら、ダイオードを不要としても、双方点灯状態を得ることができる。
【００３０】
したがって、２つの光源の間で電位差が生じないため、正確な電圧制御が可能となる。また、部品点数が減らせることにより、コストダウンと回路構成の簡素化が図れる。
【図面の簡単な説明】
【図１】本発明による実施形態の回路構成およびその動作を説明するための説明図。
【図２】（ａ）一般的なレーザー墨出し器の外観を示す正面図，（ｂ）その電源スイッチを示す模式図。
【図３】図２（ｂ）に示す電源スイッチの回路構成およびその動作を説明するための説明図。
【符号の説明】
４ａ，５ａ  レーザー光源
ＳＷ１０，ＳＷ２０  スイッチ
１０ａ〜１０ｃ，２０ａ〜２０ｃ  接点
ＶＣＣ  電源
ＧＮＤ  グランド
【図１】
2004212084.tif 000003
【図２】
2004212084.tif 000004
【図３】
2004212084.tif 000005